(57)【要約】【課題】簡単な加工を施すだけで、雄ねじと雌ねじ間の摺動接触によって発生するダストを貯留するダストトラップを形成するカメラモジュールを提供する。【解決手段】レンズの光軸周りの筒体の外周面に雄ねじが刻設されたレンズホルダと、レンズホルダを収容する収容孔の内周面に雄ねじに螺合する雌ねじが刻設されたハウジング本体と、レンズの光軸方向の下方に配置された撮像素子とを備え、 雌ねじに雄ねじを螺合させたレンズホルダを光軸周りに回転して、レンズの焦点距離を調整するカメラモジュールにおいて、雌ねじと雌ねじの少なくともいずれか一方を、同一ピッチで連続する上方の螺合部と下方の遊嵌部とに分け、遊嵌部のねじ山を、螺合部のねじ山の一部を削った形状とし、対向する雌ねじ若しくは雄ねじとの間にダストトラップを形成する。【選択図】図４
2019204056.tif 000002
【特許請求の範囲】
【請求項１】
レンズが筒体内に取り付けられ、前記レンズの光軸周りの前記筒体の外周面に雄ねじが刻設されたレンズホルダと、
該レンズホルダを上方の開口から収容する収容孔が形成され、前記収容孔の内周面に前記雄ねじに螺合する雌ねじが刻設されたハウジング本体と、
前記ハウジング本体の前記レンズの光軸方向の下方に配置された撮像素子と、を備え、
前記雌ねじに前記雄ねじを螺合させた前記レンズホルダを前記光軸周りに回転して、前記レンズと前記撮像素子間の距離を調整し、前記レンズの焦点距離を調整するカメラモジュールにおいて、
前記雌ねじと前記雌ねじの少なくともいずれか一方を、同一ピッチで連続する上方の螺合部と下方の遊嵌部とに分け、
遊嵌部のねじ山を、螺合部のねじ山の一部を削った形状とし、対向する前記雌ねじ若しくは前記雄ねじとの間にダストトラップを形成することを特徴とするカメラモジュール。
【請求項２】
前記雌ねじに螺合する形状に前記レンズホルダの外周面に刻設された前記雄ねじの下方のネジ山の一部を削り、遊嵌部としたことを特徴とする請求項１に記載のカメラモジュール。
【請求項３】
遊嵌部のねじ山は、螺合部のねじ山の山頂を削り、湾曲面とした形状であることを特徴とする請求項１又は請求項２のいずれか１項に記載のカメラモジュール。
【請求項４】
遊嵌部のねじ山は、螺合部のねじ山の上面を削り、上面が谷底に向かって下方に傾斜する傾斜面となった形状であることを特徴とする請求項１又は請求項２のいずれか１項に記載のカメラモジュール。
【請求項５】
遊嵌部のねじ山は、螺合部のねじ山の一部を１０μｍ未満の深さで削った形状であることを特徴とする請求項１乃至請求項４のいずれか１項に記載のカメラモジュール。
【発明の詳細な説明】
【技術分野】
【０００１】
本発明は、ハウジング本体の雌ねじに、雄ねじを螺合させたレンズホルダを回転して、ハウジング本体に取り付けられた撮像素子とレンズホルダに取り付けられたレンズとの距離を調整し、レンズの焦点距離を調整するカメラモジュールに関し、更に詳しくは、雄ねじと雌ねじが摺動接触することにより発生するダストを貯留するダストトラップを設けたカメラモジュールに関する。
【背景技術】
【０００２】
カメラモジュールに備えられるレンズと撮像素子は、個別に組み付けられるので、その間をレンズの焦点距離に精度良く一致させて組み立てることができない。このため、レンズを筒体内に取り付けたレンズホルダの外周面に雄ねじを刻設するとともに、ハウジング本体のレンズホルダを収容する収容孔の内周面に雄ねじに螺合する雌ねじを刻設し、工場出荷時に撮像素子が取り付けられたハウジング本体に対してレンズホルダを回転させて、レンズと撮像素子間の距離を調整してレンズの焦点を調節していた。
【０００３】
撮像素子は、ハウジング本体のレンズホルダを収容する収容孔の下方に受光面を露出させて配置されているので、レンズホルダを組み付ける前の開口する収容孔からダストが落下して受光面に付着したり、上記レンズの焦点を調節する工程において、雄ねじと雌ねじが摺動接触し、その間に微小な粒子状のダストが発生して、その下方に配置された撮像素子の受光面上に落下することがあり、これらのダストで受光路の一部が遮断され撮像素子の取り込み画像の品質が著しく悪化するという問題が生じていた。
【０００４】
そこで、従来、レンズホルダがハウジング本体の収容孔内で回転することにより発生するダストが、その下方の撮像素子に落下しないように、ダストを貯留するダストトラップを設けたカメラモジュールが、特許文献１乃至特許文献３等で知られている。
【０００５】
このうち、特許文献１に開示されたカメラモジュール１００は、図７に示すように、ハウジング本体１０１の雌ねじ１０５が刻設された収容孔１０２の下方に段部１０３を形成し、この段部１０３を内側から覆う円筒状のブーツ１０４を、レンズホルダ１０８と撮像素子１０９の周囲の収容孔１０２の底面との間に配置している。これにより、ブーツ１０４と段部１０３の間に、ダストトラップ１０７が形成され、レンズホルダ１０８を回転し、レンズホルダ１０８の雄ねじ１０６と雌ねじ１０５が摺動接触することにより発生するダストが、雄ねじ１０６と雌ねじ１０５の隙間から落下しても、ダストトラップ１０７で補足され、撮像素子１０９に達することがない。
【０００６】
また、特許文献２に開示された図８に示すカメラモジュール１１０は、上方に開口する収容孔１１１の内底面に撮像素子１１４が配設されたハウジング本体１１２と、筒体１１３ａ内にレンズが取り付けられたレンズホルダ１１３とからなっている。レンズホルダ１１３は、筒体１１３ａの外面の上方に形成された螺旋状の傾斜路を、収容孔１１１の内面の上方に形成された螺旋状の傾斜路に係合させることにより、収容孔１１１内に回転自在に収容され、回転させることにより、レンズホルダ１１３のレンズが、撮像素子１１４に対して進退移動し、レンズの焦点が調整される。
【０００７】
収容孔１１１の内面は、上方から下方に向かって内径が小さくなる第１内壁面１１１ａ、第２内壁面１１１ｂ、第３内壁面１１１ｃ及び第４内壁面１１１ｄの４つの面に分かれ、これにより隣り合う内壁面間に第２段部１１５ｂ、第３段部１１５ｃ及び第４段部１１５ｄの３つの段部が形成される。一方、レンズホルダ１１３の筒体１１３ａの各段部１１５ｂ、１１５ｃ、１１５ｄの内方の外面は、それぞれ、その下方の第２内壁面１１１ｂ乃至第４内壁面１１１ｄの内径よりわずかに短い外径の第２外壁面１１６ｂ、第３外壁面１１６ｃ及び第４外壁面１１６ｄとなっていて、これにより、収容孔１１１の内面とレンズホルダ１１３の隙間を通して落下するダストは、各段部１１５ｂ、１１５ｃ、１１５ｄに形成されるダストトラップ１１７で補足され、撮像素子１１４に達することがない。
【先行技術文献】
【特許文献】
【０００８】
【特許文献１】特許５１１８１４７号公報
【特許文献２】特表２０１０−５０９６２０号公報
【特許文献３】特開２００６−１６６３９８号公報
【発明の概要】
【発明が解決しようとする課題】
【０００９】
ここで上述のカメラモジュール１００は、外周面が２段に分かれた円筒形のブーツ１０４を用いるので、部品点数が増加して構造も複雑になるので製造コストが上昇する。また、レンズホルダ１０８と収容孔１０２の内底面との間に、撮像素子１０９を囲うようにブーツ１０４を組み付ける必要があり、ブーツ１０４を介在させることによって、カメラモジュール１００の全高が高くなり、低背化の障害となる。
【００１０】
また、従来のカメラモジュール１１０は、ダストトラップ１１７を形成するために、ハウジング本体１１２側の収容孔１１１の内面に内径が異なる複数の内壁面１１１ａ、１１１ｂ、１１１ｃ、１１１ｄを形成するとともに、レンズホルダ１１３の外面にも複数の内壁面１１１ｂ、１１１ｃ、１１１ｄの内径に外径を合わせた複数の外壁面１１６ｂ、１１６ｃ、１１６ｄを形成する必要があり、ハウジング本体１１２とレンズホルダ１１３の形状が複雑で、高精度に成形する必要があった。
【００１１】
更に、レンズホルダ１１３が収容孔１１１の開口の付近で、相互の傾斜路を係合させながら回転させる工程では、各段部１１５ｂ、１１５ｃ、１１５ｄの内側がレンズホルダ１１３の各外壁面１１６ｂ、１１６ｃ、１１６ｄで覆われていない場合があり、その隙間からダストが落下する恐れがあり、撮像素子１１４へダストが落下することを完全に防止することはできい。
【００１２】
本発明は、このような従来の問題点を考慮してなされたものであり、従来のカメラモジュールに対して簡単な加工を施すだけでダストトラップを形成するカメラモジュールを提供する。
【課題を解決するための手段】
【００１３】
上述の目的を達成するため、請求項１に記載のカメラモジュールは、レンズが筒体内に取り付けられ、レンズの光軸周りの筒体の外周面に雄ねじが刻設されたレンズホルダと、該レンズホルダを上方の開口から収容する収容孔が形成され、収容孔の内周面に雄ねじに螺合する雌ねじが刻設されたハウジング本体と、ハウジング本体のレンズの光軸方向の下方に配置された撮像素子と、を備え、 雌ねじに雄ねじを螺合させたレンズホルダを光軸周りに回転して、レンズと撮像素子間の距離を調整し、レンズの焦点距離を調整するカメラモジュールにおいて、
雌ねじと雌ねじの少なくともいずれか一方を、同一ピッチで連続する上方の螺合部と下方の遊嵌部とに分け、遊嵌部のねじ山を、螺合部のねじ山の一部を削った形状とし、対向する雌ねじ若しくは雄ねじとの間にダストトラップを形成することを特徴とする。
【００１４】
遊嵌部のねじが噛み合う相手側のねじは、同一ピッチでねじ山が形成されているので、相手側ねじと干渉することなく、その上方の螺合部が相手側のねじと螺合するまで、レンズホルダを回転させることができる。
【００１５】
螺合部が相手側のねじに螺合することによって、遊嵌部での相手側のねじのねじ山との間隔は、螺合部での間隔と同一の間隔に保持され、ねじ山の一部を削った凹部がそのまま対向する相手側のねじとの隙間となって、雄ねじと雌ねじが螺合することにより生じるダストを貯留するダストトラップが形成される。
【００１６】
請求項２に記載のカメラモジュールは、雌ねじに螺合する形状にレンズホルダの外周面に刻設された雄ねじの下方のネジ山の一部を削り、遊嵌部としたことを特徴とする。
【００１７】
雄ねじの下方のねじ山は、筒体のレンズホルダの外周面の一方に露出するので、容易にそのねじ山の一部を削り、遊嵌部とすることができる。
【００１８】
レンズホルダの雄ねじを収容孔の開口に形成された雌ねじに螺合させる際には、雄ねじのねじ山の一部が削られた遊嵌部が雌ねじの上端に螺合するので、遊びを有する雄ねじを雌ねじに呼び込みやすい。
【００１９】
請求項３に記載のカメラモジュールは、遊嵌部のねじ山は、螺合部のねじ山の山頂を削り、湾曲面とした形状であることを特徴とする。
【００２０】
遊嵌部のねじ山は、湾曲面が相手側のねじのねじ山に対向するので、摺動接触してもダストが生じにくい。
【００２１】
請求項４に記載のカメラモジュールは、遊嵌部のねじ山は、螺合部のねじ山の上面を削り、上面が谷底に向かって下方に傾斜する傾斜面となった形状であることを特徴とする。
【００２２】
遊嵌部のねじ山の上面は、ねじ山の山頂から谷底に向かって下方に傾斜する傾斜面となっているので、ダストは、ねじ山の基端である谷底側に移動し、相手側のねじとの隙間があるねじ山の先端から落下しにくい。
【００２３】
請求項５に記載のカメラモジュールは、遊嵌部のねじ山は、螺合部のねじ山の一部を１０μｍ未満の深さで削った形状であることを特徴とする。
【００２４】
遊嵌部で噛み合う雄ねじと雌ねじの隙間は、１０μｍ未満となるので、１０μｍ以上の大きさのダストを通過させないフィルターとして作用する。
【発明の効果】
【００２５】
請求項１の発明によれば、従来のカメラモジュールに対して、雄ねじ及び／又は雌ねじの下方のねじ山を削る簡単な加工で、撮像素子へのダストの落下を防止するダストトラップを形成できる。
【００２６】
請求項２の発明によれば、筒体のレンズホルダの一方から、外周面に露出する雄ねじのねじ山を容易に加工して遊嵌部とすることができる。
【００２７】
また、収容孔の雌ねじにレンズホルダの雄ねじを螺合させる際には、最初に遊びを有する雄ねじの遊嵌部が雌ねじに螺合するので、レンズホルダを収容孔の開口位置で時計回りに回転するだけで、自然に収容孔内に下降させることができる。
【００２８】
請求項３の発明によれば、遊嵌部のねじ山が、対向する相手側のねじのねじ山に摺動接触してもダストが生じにくい。
【００２９】
請求項４の発明によれば  遊嵌部のねじ山の上面に貯留されたダストは、は、ねじ山の谷底に向かって下方に傾斜する傾斜面となっているので、ダストは、相手側のねじとの間に隙間が生じているねじ山の先端側の山頂から基端側の谷底へ移動するように誘導され、相手側のねじとの隙間から落下しにくい。
【００３０】
請求項５の発明によれば、１０μｍ未満のダストのみが遊嵌部のねじ山に沿って移動するので、撮像素子に落下することがあっても、撮像素子の取り込み画像の品質に影響しない。
【図面の簡単な説明】
【００３１】
【図１】本願発明の一実施の形態に係るカメラモジュール１のハウジング本体２を示す断面図である。
【図２】レンズユニット３の断面図である。
【図３】収容孔４の内周面の雌ねじ５とレンズユニット３の外周面の雄ねじ６の遊嵌部６Ｂが螺合する状態を示す断面図である。
【図４】収容孔４の内周面の雌ねじ５とレンズユニット３の外周面の雄ねじ６の螺合部６Ａが螺合する状態を示す断面図である。
【図５】図４の（ａ）は、雌ねじ５と雄ねじ６の螺合部６Ａと遊嵌部６Ｂとが噛み合う部分を示す、（ｂ）は、（ａ）の雄ねじ６の螺合部６Ａと遊嵌部６Ｂのみを示す、要部拡大端面図である。
【図６】他の実施の形態に係るカメラモジュール２０の（ａ）は、雌ねじ５と雄ねじ６の螺合部６Ａと遊嵌部２０Ｂとが噛み合う部分を、（ｂ）は、（ａ）の雄ねじ６の螺合部６Ａと遊嵌部２０Ｂのみを、それぞれ示す要部拡大端面図である。
【図７】従来のカメラモジュール１００を示す断面図である。
【図８】従来のカメラモジュール１１０を示す断面図である。
【発明を実施するための形態】
【００３２】
本発明の一実施の形態に係るカメラモジュールは１、レンズ７を筒体内に取り付けたレンズホルダ３と、レンズホルダ３を収容する収容孔４が形成されたハウジング本体２と、レンズ３の光軸ＯＡ上の下方に受光面８ａを配置した撮像素子８とから構成され、以下、その各部を、図１乃至図５を用いて、各図で図示する上下方向を上下方向として説明する。
【００３３】
レンズホルダ３は、図２に示すように、合成樹脂などで鉛直方向に貫通孔２ａが貫通する円筒形に成形され、貫通孔２ａの上方の開口近傍に、光軸ＯＡが貫通孔２ａの中心軸に一致するようにレンズ７が取り付けられている。
【００３４】
また、合成樹脂などで成形されるハウジング本体２には、円筒形のレンズホルダ３を、上記光軸ＯＡに沿って上方から収容する円筒形の収容孔４が穿設され、収容孔４の下方に撮像素子８を位置決め収容する位置決め室９が連通して形成されている。位置決め室９は、プリント配線基板１０上に実装される撮像素子８の受光面８ａが光軸ＯＡに直交して収容孔４の底面に臨むように撮像素子８を位置決めする。ハウジング本体２は、その内方に位置決めする撮像素子８とともにプリント配線基板１０上に実装することにより、カメラモジュール１の撮像素子８が、プリント配線基板１０の導電パターンを介してカメラホスト装置に接続する。
【００３５】
本実施の形態に係るカメラモジュール１は、ドライブレコーダー等の一部として車両の周囲を撮像する目的で、車両に設置される車載用のカメラモジュールであり、工場出荷時に、パンフォーカスで車両周囲の画像を撮像する所定の過焦点距離とするように、レンズ７を収容孔４内で光軸ＯＡに沿って撮像素子８に向けて進退移動し、レンズ７と撮像素子８間の焦点距離を調整する。この焦点距離の調整工程では、光軸ＯＡに沿ったレンズ７と撮像素子８間の距離を微調整する必要があるので、レンズホルダ３の円筒の外周面に光軸ＯＡ周りに雄ねじ６が刻設されるとともに、円筒形の収容孔４の内周面に光軸ＯＡ周りに雄ねじ６に螺合する雌ねじ５が刻設されている。
【００３６】
このうちレンズホルダ３に刻設される雄ねじ６は、図４で破線で囲う部分を図５（ａ）（ｂ）に拡大して示すように、上方の螺合部６Ａと下方の遊嵌部６Ｂに分けられ、雄ねじ６の螺合部６Ａと雌ねじ５のねじ山は、それぞれ、ねじ山の角度が６０度のメートル並み目ねじの標準山形の互いに相補する形状に形成され、ねじ山のピッチは、レンズホルダ３や収容孔４の大きさにかかわらず、光軸ＯＡに沿って等しく０．５ｍｍピッチとなっている。
【００３７】
一方、雄ねじ６の遊嵌部６Ｂは、図５（ｂ）に示すように、螺合部６Ａの破線で示すねじ山の山頂を削り、湾曲面６Ｂ１とした形状となっていて、これによって、遊嵌部６Ｂの各ねじ山と対向する雌ねじ５の谷底との間に、螺合部６Ａと雌ねじ５が摺動することによって発生するダストを貯留するダストトラップ１１が形成される。この雄ねじ６の遊嵌部６Ｂは、例えば、螺合部６Ａを形成する刃を備えたねじ切りダイスを用いてレンズホルダ３の外周面全体に螺合部６Ａを形成しておき、その下方から、ねじ山の山頂を削って湾曲面６Ｂ１とする刃を備えたねじ切りダイスでねじ山の山頂を切削し、螺合部６Ａの下方に遊嵌部６Ｂを形成する。
【００３８】
雌ねじ５と雄ねじ６の光軸ＯＡに沿った長さは、ほぼ等しく、雄ねじ６の上端が雌ねじ５の上端まで螺合する位置、すなわち螺合部６Ａの全体が雌ねじ５に螺合する位置でレンズホルダ３の底面が撮像素子８の受光面８ａに近接して対向するように、雌ねじ５と雄ねじ６の各長さが設定されている。また、雄ねじ６の全体に対して、ここでは、螺合部６Ａと遊嵌部６Ｂの長さをほぼ等しくし、螺合部の６Ａの中間位置まで雌ねじ５にねじ込んだ位置でのレンズ７と撮像素子８間の距離が、設計上、所定距離に設定する過焦点距離にレンズ７と撮像素子８間の焦点距離に一致するように、レンズホルダ３の外周面に刻設する螺合部６Ａの長さを設定する。
【００３９】
このように構成されたレンズホルダ３を、ハウジング本体３の収納孔４へ収納する際には、初めに図３に示すように、ハウジング本体３の収納孔４の上端開口部に光軸ＯＡを一致させてレンズホルダ３を配置し、レンズホルダ３を上方からみて時計回りに回転させる。この際に、遊嵌部６Ｂのねじ山は、山頂を削った湾曲面６Ｂ１となっていて、雌ねじ５との間に隙間が生じているので、遊嵌部６Ｂは、雌ねじ５のねじ山と干渉することなく、スムーズに雌ねじ５のねじ山の間に呼び込まれて噛み合う。
【００４０】
レンズホルダ３を更に時計回りに回転させる際にも、螺合部６Ａのねじ山の山頂を削って形成した遊嵌部６Ｂのねじ山は、螺合部６Ａが螺合する雌ねじ５と同一の０．５ｍｍピッチであるので、遊嵌部６Ｂは、雌ねじ５のねじ山に案内されながら、雌ねじ５に沿ってスライドし、レンズホルダ３は、収納孔４内に徐々に下降する。ここで遊嵌部６Ｂは、雌ねじ５との間に隙間が形成され、また、雌ねじ５に対向する遊嵌部６Ｂのねじ山は、エッジを削った湾曲面６Ｂ１となっているので、スライド中のダストは発生しにくい。
【００４１】
更に、レンズホルダ３を時計回りに回転させると、遊嵌部６Ｂの上方で同一ピッチで連続する螺合部６Ａが雌ねじ５に螺合し、螺合部６Ａと雌ねじ５を螺合させながら、レンズホルダ３を時計回りに回転させると、レンズホルダ３が光軸ＯＡに沿って収納孔４内を下降してレンズ７と撮像素子８間の距離が接近し、逆にレンズホルダ３の半時計回りに回転させると、レンズホルダ３が収納孔４内を上昇し、レンズ７と撮像素子８間の距離が長くなる。これにより、螺合部６Ａと雌ねじ５が螺合する状態で、レンズホルダ３を時計方向若しくは半時計方向に回転させて、レンズ７と撮像素子８間の距離を、過焦点距離となる焦点距離に調整できる。この焦点距離を調整する工程において、雄ねじ６の螺合部６Ａと雌ねじ５は、相応の接触圧で摺動接触するので、その間にダストが発生することがある。しかしながら、発生したダストは、レンズホルダ３を繰り返して回転操作する間に、螺合部６Ａと雌ねじ５の隙間に沿って螺旋状に下降し、雄ねじ６の遊嵌部６Ｂまで達すると、遊嵌部６Ｂと雌ねじ５との隙間に形成されたダストトラップ１１に貯留されるので、ダストは更にその下方まで落下しにくく、撮像素子８の受光面８ａ上に付着して、撮像素子８の画像品質を劣化させるようなことがない。
【００４２】
過焦点距離となる焦点距離となるように、レンズ７と撮像素子８間の距離を調整した回転位置で、レンズホルダ３を接着剤、熱溶着などでハウジング本体２に固着し、レンズホルダ３の回転を固定する。
【００４３】
しかしながら、パンフォーカスとせずに、被写体との距離に合わせて、その都度レンズ７と撮像素子８間の距離を調整する車載用以外の他の用途で用いられるカメラモジュールであっても本発明を適用できるので、そのようなカメラモジュールでは、レンズホルダ３の回転を固定しない。
【００４４】
また、雄ねじ６の遊嵌部のねじ山の形状は、螺合部６Ａのねじ山の一部を削って形成するものであれば、どのような形状でもよい。以下、雄ねじ６の遊嵌部２０Ｂのねじ山の形状を遊嵌部６Ｂと異なる形状とした本発明の第２実施の形態のカメラモジュール２０を、図６（ａ）、（ｂ）を用いて説明する。第２実施の形態のカメラモジュール２０は、遊嵌部２０Ｂのねじ山の形状のみが第１実施の形態と異なるので、第１実施の形態と同一若しくは同様に作用する各部の構成については、同一の番号を付してその説明を省略する。
【００４５】
雄ねじ６の遊嵌部２０Ｂは、図６（ｂ）に示すように、破線で示す螺合部６Ａのねじ山の上方を１０μｍ未満の深さで削り、上面を図中右方の谷底に向かって下方に傾斜する傾斜面２０Ｂ１としている。遊嵌部２０Ｂと雌ねじ５との上下方向の相対位置は、雄ねじ６の螺合部６Ａと雌ねじ５が螺合することにより、一定で変化しないので、図６（ａ）に示すように、遊嵌部２０Ｂの傾斜面２０Ｂ１と雌ねじ５のねじ山との間にダストを貯留するダストトラップ２１が形成される。
【００４６】
このダストトラップ２１の隙間は、１０μｍ未満であるので、ダストトラップ２１は、１０μｍ以上の大きさのダストが通過しないフィルターとして作用し、撮像素子８で認識されるような大きさのダストが受光面８ａに付着することがない。
【００４７】
また、ダストトラップ２１の底面となる傾斜面２０Ｂ１は、ねじ山の谷底に向かって下方に傾斜しているので、ダストトラップ２１に進入したダストは、谷底寄りに移動し遊嵌部２０Ｂのねじ山の山頂と対向する雌ねじ５の谷底との間の隙間から下方に落下しにくい。
【００４８】
上述の各実施の形態では、レンズホルダ３に刻設された雄ねじ６を上方の螺合部６Ａと下方の遊嵌部６Ｂ、２０Ｂとに分けたが、収容孔４の内周面に刻設する雌ねじ５を同一ピッチで上下に連続する上方の螺合部と下方の遊嵌部とに分け、遊嵌部のねじ山を、雌ねじ５の螺合部のねじ山の一部を削った形状とするものであってもよい。
【００４９】
また、撮像素子８は、レンズホルダ３に固定されたレンズ７の光軸ＯＡ上に配置されるものであれば、ハウジング本体２やハウジング本体２と一体の他の部品上に取り付けられるものであってもよい。
【００５０】
また、雄ねじ６若しくは雌ねじ５に形成される遊嵌部の長さは、少なくともその上方の螺合部が相手側のねじに螺合し、レンズホルダ３ががたつきなくハウジング本体２に固定されれば、任意の長さとすることができる。
【００５１】
更に、上述の第２実施の形態では、ダストトラップ２１の隙間を１０μｍ未満としているが、ダストトラップ１１、２１は、遊嵌部６Ｂ、２０Ｂがダストが落下しない十分な長さであれば、必ずしもで１０μｍ未満の隙間とする必要はない。
【産業上の利用可能性】
【００５２】
本発明は、レンズホルダを手動若しくは自動で回転し、最適な焦点距離に調整するカメラモジュールに適用できる。
【符号の説明】
【００５３】
１、２０  カメラモジュール
２  ハウジング本体
３  レンズホルダ（筒体）
４  収容孔
５  雌ねじ
６  雄ねじ
６Ａ  螺合部
６Ｂ  遊嵌部
６Ｂ１  湾曲面
７  レンズ
８  撮像素子
８ａ  受光面
１１、２１  ダストトラップ
２０Ｂ  遊嵌部
２０Ｂ１  傾斜面
ＯＡ  レンズの光軸
【図１】
2019204056.tif 000003
【図２】
2019204056.tif 000004
【図３】
2019204056.tif 000005
【図４】
2019204056.tif 000006
【図５】
2019204056.tif 000007
【図６】
2019204056.tif 000008
【図７】
2019204056.tif 000009
【図８】
2019204056.tif 000010